(57)【要約】【課題】  便座をトイレブース内のどの位置に設けても、円弧状のドアが閉鎖または閉止位置となったときに、ドアの隙間から便座が見えることがないようにする。【解決手段】  トイレの外側に向かって凸に湾曲した円弧状の開閉案内レールを、トイレの前方開口部の一端上部から他端上部を経てトイレブースの上部まで連続して架設し、かつ、該開閉案内レールの曲率とほぼ同一の曲率で外側に向かって湾曲させた円弧状のドア８を、開閉案内レール内を走行可能な走行手段を介して、開閉案内レールに移動可能に吊支したトイレのドア装置であって、前方開口部を形成している前面板４bとドア８との隙間を閉塞する可撓性を有する閉塞部材１３を、前面板４b側よりドア８側に向けて設ける。【選択図】  図２
2006307468.tif 000002
【特許請求の範囲】
【請求項１】
トイレの外側に向かって凸に湾曲した円弧状の開閉案内レールを、トイレの前方開口部の上部に連続して架設し、かつ、該開閉案内レールの曲率とほぼ同一の曲率で外側に向かって湾曲させた円弧状のドアを、開閉案内レール内を走行可能な走行手段を介して、開閉案内レールに移動可能に吊支し、該ドアの移動により前方開口部を開閉するようにしたトイレのドア装置において、
前方開口部を形成している前面板と、ドアとの隙間を閉塞する可撓性を有する閉塞部材を、前面板側よりドア側に向けて設けたことを特徴とするトイレのドア装置。
【請求項２】
閉塞部材の先端を、ドアの湾曲表面に接触させて設けた請求項１記載のトイレのドア装置。
【請求項３】
閉塞部材を取り付けている前面板側の端面を、ドアの湾曲表面とほぼ平行となる傾斜面として形成し、この傾斜面より、閉塞部材をドアに向かってほぼ直角に突出させて設けた請求項１または２のいずれかに記載のトイレのドア装置。
【請求項４】
前面板の端面に、アルミニュームの押し出し材により形成した縁材を配設し、該縁材に閉塞部材を取り付けた請求項１〜３のいずれかに記載のトイレのドア装置。
【請求項５】
閉塞部材を、可撓性を有する繊維を同じ方向に向くようにして複数束ねて並べてなるブラシ状のものとした請求項１〜４のいずれかに記載のトイレのドア装置。
【請求項６】
閉塞部材に、帯電防止用のアース機能を持たせてなる請求項１〜５のいずれかに記載のトイレのドア装置。
【発明の詳細な説明】
【技術分野】
【０００１】
本発明は、平面視円弧状のスライドドアを有するトイレのドア装置に関する。
【背景技術】
【０００２】
従来、トイレの外側に向かって凸に湾曲した円弧状の開閉案内レールを、トイレの前方開口部の一端上部から他端上部を経て、トイレブースの上部まで連続して架設し、かつ、開閉案内レールの曲率とほぼ同一の曲率で外側に向かって湾曲している円弧状のドアを、開閉案内レール内を走行可能な走行手段を介して、開閉案内レールに移動可能に吊支したトイレのドア装置は、本出願人により既に特許出願され、かつ特許されている（特許文献１及び特許文献２参照）。
【特許文献１】特許第３３１６７４３号公報
【特許文献２】特許第３３４５８０１号公報
【発明の開示】
【発明が解決しようとする課題】
【０００３】
円弧状のドアを使用したトイレでは、図５及び特許文献１、特許文献２に示すように、便座(ａ)がトイレの前方開口部(ｂ)と対向する後壁(ｃ)側に配置されている構造では、円弧状のドア(ｄ)が閉止位置に配置されているときには、前面視で両前面板(ｅ)(ｅ)の後方に、ドア(ｄ)の両側部が重なるため、両前面板(ｅ)(ｅ)とドア(ｄ)との隙間から、便座(ａ)方向が見えることはなかった。
【０００４】
しかし、図６に示すように、便座(ａ)を一方の側壁(ｆ)に片寄らせて配置し、その側壁(ｆ)側に設けた前面板(ｅ)の左右方向の寸法が大きいトイレブースでは、円弧状のドア(ｄ)が閉止位置となったとき、その前面板(ｅ)とドア(ｄ)との隙間から、トイレブース内の便座方向が見えるという問題がある。
【０００５】
本発明は、上述の問題を解消し、便座をトイレブース内のどの位置に設けても、円弧状のドアが閉止位置となったときに、ドアの隙間から便座が見えることがなく、しかもドアを円滑に開閉できるとともに、安全性に優れ、さらに帯電防止等の付加的機能を持たせることができるようにしたトイレのドア装置を提供することを目的としている。
【課題を解決するための手段】
【０００６】
本発明によると、上記課題は、次のようにして解決される。
（１）トイレの外側に向かって凸に湾曲した円弧状の開閉案内レールを、トイレの前方開口部の上部に連続して架設し、かつ、該開閉案内レールの曲率とほぼ同一の曲率で外側に向かって湾曲させた円弧状のドアを、開閉案内レール内を走行可能な走行手段を介して、開閉案内レールに移動可能に吊支し、該ドアの移動により前方開口部を開閉するようにしたトイレのドア装置において、前方開口部を形成している前面板と、ドアとの隙間を閉塞する可撓性を有する閉塞部材を、前面板側よりドア側に向けて設ける。
【０００７】
（２）上記(１)項において、閉塞部材の先端を、ドアの湾曲表面に接触させて設ける。
【０００８】
（３）上記(１)または(２)項のいずれかにおいて、閉塞部材を取り付けている前面板側の端面を、ドアの湾曲表面とほぼ平行となる傾斜面として形成し、この傾斜面より、閉塞部材をドアに向かってほぼ直角に突出させて設ける。
【０００９】
（４）上記(１)〜(３)項のいずれかにおいて、前面板の端面に、アルミニュームの押し出し材により形成した縁材を配設し、該縁材に閉塞部材を取り付ける。
【００１０】
（５）上記(２)〜(４)項のいずれかにおいて、閉塞部材を、可撓性を有する繊維を同じ方向に向くようにして複数束ねて並べてなるブラシ状のものとする。
【００１１】
（６）上記(１)〜(５)項のいずれかにおいて、閉塞部材に、帯電防止用のアース機能を持たせる。
【発明の効果】
【００１２】
本発明によると、次のような効果を奏することができる。
（ａ）請求項１記載の発明によれば、円弧状のドアが閉止位置となったときに、閉塞部材が前面板とドアとの隙間を閉塞するため、その前面板とドアとの隙間から内部が見える可能性を排除することができる。したがって、便座をどの位置、例えばトイレブース内で側壁側に寄せて配置したとしても、前面板とドアとの隙間から便座が見えるおそれをなくすことができる。また、閉鎖部材が可撓性を有しているので、ドアの開閉の邪魔になることがなく、ドアは円滑に開閉することができる。さらに、隙間に指が挟まれても、閉鎖部材が撓むので、安全性の向上を図ることができる。
【００１３】
（ｂ）請求項２記載の発明によれば、閉塞部材の先端をドアの表面に接触させて設けてあるので、前面板とドアとの隙間を完全に無くすことができる。
【００１４】
（ｃ）請求項３記載の発明によれば、前面板側の端面がドア側を向いて傾斜しているので、前面板側の端面や閉塞部材が前方から見えなくなり、見栄えが向上する。また、傾斜していることによって、前面板側の端面とドアとの対向幅を大きくとることができるので、前面板とドアとの隙間から内部が見える可能性をさらに少なくすることができる。
【００１５】
（ｄ）請求項４記載の発明によれば、縁材に対して閉塞部材の取り付けを容易に行うことができるとともに、前面板の縁の体裁をよくすることができる。
【００１６】
（ｅ）請求項５記載の発明によれば、閉塞部材を、可撓性を有する繊維を複数束ねて並べてなるブラシ状のものとしてあるので、閉塞部材がより変形し易く、かつ、元の状態に復帰させ易いものとすることができる。しかも、ブラシ状にすることによって、通気性が得られる。また、戸尻側に閉塞部材を設けている場合では、ドアの開閉時に、湾曲表面に付着しているゴミ等を閉塞部材により払拭する効果も得られる。
【００１７】
（ｆ）請求項６記載の発明によれば、閉塞部材のアース機能を用いて、静電気による帯電を無くすことができるので、使用者がドアに接触した時に起こり易い放電による不快を解消することができる。
【発明を実施するための最良の形態】
【００１８】
以下、本発明の実施形態を、図面に基づいて説明する。
図１〜図４は、本発明の一実施形態を備える２個のトイレと、その各部の詳細を示す。
【００１９】
図１に示すように、並設されている２個のトイレブースのそれぞれは、両側の側壁(１)及び後壁(２)により仕切られ、前方は大きく開放されて、前方開口部(３)となっている。各トイレブース内には、片側の側壁(１)に片寄らせて、便座(ａ)が設置されている。
【００２０】
前方開口部(３)には、図１の左方の側壁(１)の前端から、右方の側壁(１)の方向に延びる前面板(4a)が、左方の側壁(１)に取り付けられている。右方の側壁(１)の前端からは、左方の側壁(１)の方向に延びる幅狭の前面板(4b)が、右方の側壁(１)に取り付けられている。
【００２１】
前方開口部(３)の上部には、外側に向かって凸の平面視ほぼ半円弧状をなす開閉案内レール(５)が設置されている。図１に示すように、開閉案内レール(５)は、右方の前面板(4b)の上部から前方開口部(３)上を通って、左方の前面板(4a)の上部に至り、さらに左方の側壁(１)の上部に沿ってトイレブースの中間の上部まで連続して延びるようにして、一端側を側壁(１)または前面板(4a)(4b)にそれぞれ止着している支持金具(６)により、水平な状態で保持されている。
【００２２】
図１に示すように、開閉案内レール(５)には、２個の走行手段(７)を介して、この開閉案内レール(５)とほぼ同一の曲率を持つ円弧状のドア(８)が吊支されている。その２個の走行手段(７)は、ドア(８)の上端で、左右端近く、すなわち戸先側の位置と戸尻側の位置とに分かれて配設されている。
【００２３】
同じく、図１に示すように、ドア(８)は、おおよそ１／４円弧状をなし、前方開口部(３)を覆うに十分の長さのものである。図１中の左側のトイレは、ドア(８)が開放された状態(「空き」状態)、右側のトイレは、ドア(８)が前方開口部(３)を閉止した状態(「使用中」状態)を示している。
【００２４】
なお、本実施例では、上記便器(ａ)は、トイレブース内において、前面板(4b)が取り付けられている閉止位置側の側壁(１)に片寄らせた状態で設置してある。
【００２５】
図２に示すように、戸先側の前面板(4a)の内面下方には、戸当たり金具(９)が止着されている。戸当たり金具(９)は、ドア(８)が閉止されたとき、ドア(８)の先端に設けている樹脂製エッジ部材(10)のＶ字溝部(10a)と衝接して、ドア(８)の衝突時の衝撃を緩和し、かつ、位置決めをする。
【００２６】
戸先側における前面板(4b)の端面には、前面板(4b)のほぼ上下方向の全長にわたって、１本の連続する縁材(11)が止着されている。縁材(11)は、例えばアルミニュームの押し出し材により形成され、図２及び図３に示すように、前面板(4a)に取り付けられた状態において、ドア(８)の湾曲表面とほぼ平行となる傾斜面(11a)を有している。傾斜面(11a)には、その上下方向の全長にわたって、長溝(12)が連続して設けられている。長溝(12)は、内側が左右方向にそれぞれ拡がり、断面がＴ状に形成されている。
【００２７】
縁材(11)の傾斜面(11a)には、長溝(12)を取付部として、閉塞部材(13)が設けられている。閉塞部材(13)は、図２及び図４に示すように、長溝(12)の左右方向に拡がった部分に挿入される帯状をした結束部材(13a)と、この結束部材(13a)上に可撓性を有する繊維を、同じ方向に向けて複数束ねて並べてブラシ状にしてなるブラシ状部(13b)とを一体に有している。
【００２８】
閉塞部材(13)は、結束部材(13a)を長溝(12)の左右方向に拡がった部分(12a)にスライドさせて挿入配置し、その傾斜面(11a)の前側からブラシ状部(13b)の先端がほぼ直角に突出するようにして、縁材(11)に取り付けられている。
【００２９】
すなわち、縁材(11)には、その傾斜面(11a)からほぼ直角に突出されたブラシ状部(13a)が、上下方向の全長にわたって配設されている。そのブラシ状部(13a)の毛の長さは、ドア(８)が閉止位置に配置されたとき、ドア(８)の外側の湾曲表面と僅かに接触するように設定してある。また、ブラシ状部(13a)の毛には、帯電防止用のアース機能が持たされ、ドア(８)が閉止位置に配置されたときに、ドア(８)の静電気をアースして逃がす。
【００３０】
なお、閉塞部材(13)を設けた縁材(11)は、必要に応じて、戸尻側における前面板(4a)の端面にも、同様にして設けられる。
【００３１】
このように構成されたトイレのドア装置では、円弧状のドア(８)が閉止位置となったときに、閉塞部材(13)のブラシ部(13a)がドア(８)の湾曲表面に接触して隙間を閉塞するため、ドア(８)と前面板(4b)との隙間を完全になくして、トイレブース内が見えないようにすることができる。これにより、便座(ａ)をトイレブース内で側壁(１)側に寄せて配置する等、便座(ａ)をトイレブース内のどの位置に配置しても、前面板(4ａ)とドア(８)との隙間から便座(ａ)が見えないようにすることができる。
【００３２】
また、閉鎖部材(13)のブラシ部(13b)が可撓性を有しているので、ドア(８)の開閉の邪魔になることはなく、ドア(８)は円滑に開閉することにできる。さらに、隙間に指が挟まれても、ブラシ部(13b)が撓むので、安全性を確保することができる。
【００３３】
さらに、戸尻側における前面板(4a)の端面にも、閉塞部材(13)を設けている場合には、その閉塞部材(13)がドア(８)に接触しているので、ドア(８)の開閉操作時に、ドア(８)の湾曲表面に付着しているゴミ等を払拭する効果が得られる。
【００３４】
また、前面板(4b)の端面となる縁材(11)の傾斜面(11a)がドア(８)側を向いて傾斜しているので、前面板(4b)の端面、すなわち傾斜面(11a)や、閉塞部材(13)が、ドア(８)側に隠れて前方から見えなくなり、見栄えが向上する。さらに、傾斜していることによって、傾斜面(11a)とドア(８)との対向幅を大きくとることができるので、ドア(８)との隙間から内部が見える可能性をさらに少なくすることができる。
【００３５】
閉塞部材(13)のブラシ部(13b)として、可撓性を有する繊維を使用しているので、ブラシ部(13b)がより変形し易く、かつ、元の状態に復帰し易い。しかも、ブラシ状にすることによって通気性が得られる。また、アース機能を用いて、ドア(８)に対する静電気による帯電を無くすことができるので、使用者がドア(８)に接触した時に起こり易い放電よる不快を解消することができる。
【００３６】
本発明は、特許請求の範囲を逸脱しない範囲内で、上記実施形態に種々の変形や変更を施すことが可能である。
【００３７】
例えば、閉塞部材(13)を、ゴムその他の可撓性材料により形成したり、閉塞部材(13)の突出長さを、ドア(８)の閉止時に、先端がドア(８)の表面に接触しないようにしたりすることができる。
【図面の簡単な説明】
【００３８】
【図１】本発明の一実施形態を備えるトイレを２個並設したものの平面図である。
【図２】図１のトイレブースにおける前端右側部の拡大平面図である。
【図３】同じく、縁材の拡大平面図である。
【図４】同じく、閉塞部材の拡大平面図である。
【図５】トイレの便座を後壁側に配置した従来のトイレの一例を示す平面図である。
【図６】トイレの便座を一側壁側に片寄られて配置した従来のトイレの一例を示す平面図である。
【符号の説明】
【００３９】
(１)側壁
(２)後壁
(３)前方開口部
(４)前面板
(4a)前面板
(５)開閉案内レール
(６)支持金具
(７)走行手段
(８)ドア
(8a)上面
(8b)ガイド溝
(９)戸当たり金具
(10)エッジ部材
(10a)Ｖ字溝部
(11)縁材
(11a)傾斜面
(12)長溝
(13)閉塞部材
(13a)結束部材
(13b)ブラシ部
(ａ)便座
(ｂ)前方開口部
(ｃ)後壁
(ｄ)ドア
(ｅ)前面板
【図１】
2006307468.tif 000003
【図２】
2006307468.tif 000004
【図３】
2006307468.tif 000005
【図４】
2006307468.tif 000006
【図５】
2006307468.tif 000007
【図６】
2006307468.tif 000008